(57)【要約】【課題】耐久性の高いダイコアチェンジャーを提供することを提供することを課題とする。【解決手段】樹脂が供給されるダイコアを着脱するダイコアチェンジャーであって、凹部３６を備え鉛直軸周りに回転する第三テーブル３１と、凹部３６に着脱自在に取り付けられるアタッチメント３２と、アタッチメント３２の表面側に挿入される胴部５１とアタッチメント３２から露出されダイコアを着脱する際にダイコアに挿入される係合部５２とを備えたコア用ブロックキー３３と、アタッチメント３２に水平方向に挿入され、アタッチメント３２に対して胴部５１を固定する軸部材３９と、を備えることを特徴とする。【選択図】図３
2013252683.tif 000002
【特許請求の範囲】
【請求項１】
樹脂が供給されるダイコアを着脱するダイコアチェンジャーであって、
凹部を備え鉛直軸周りに回転するとともに昇降可能に形成されたテーブルと、
前記凹部に着脱自在に取り付けられるアタッチメントと、
前記アタッチメントの表面側に挿入される胴部と前記アタッチメントから露出され前記ダイコアを着脱する際に前記ダイコアに挿入される係合部とを備えたブロックキーと、
前記アタッチメントに水平方向に挿入され、前記アタッチメントに対して前記胴部を固定する軸部材と、を備えることを特徴とするダイコアチェンジャー。
【請求項２】
前記アタッチメント及び前記胴部は水平方向に貫通する貫通孔を備え、
前記軸部材は、連通した前記貫通孔に挿入されていることを特徴とする請求項１に記載のダイコアチェンジャー。
【請求項３】
前記アタッチメントの裏面側に締結され、前記軸部材に当接する締結具を備えていることを特徴とする請求項１又は請求項２に記載のダイコアチェンジャー。
【発明の詳細な説明】
【技術分野】
【０００１】
本発明は、樹脂成形を行う際に用いられるダイコアを着脱するダイコアチェンジャーに関する。
【背景技術】
【０００２】
ブロー成形装置は、溶融した樹脂を貯留するクロスヘッドと、このクロスヘッドに接続されパリソンを供給するダイコアとで主に構成されている。ダイコアは、リング状のダイと、ダイの内部に配置された柱状のコアとを備えており、ダイとコアの間の隙間に溶融した樹脂が降下してパリソンとして供給されるようになっている。
【０００３】
ダイコアは、ダイとコアとの隙間を適宜変更することで、パリソンの厚みを設定することができるが、樹脂成形品の種類によってはダイコアの種類を交換する必要がある。そこで、ダイコアを交換するためのダイコアチェンジャーが知られている（特許文献１）。従来のダイコアチェンジャーは、回転するターンテーブルと、ターンテーブルに形成されたダイ受け治具及びコア受け治具とで構成されている。
【０００４】
ダイコアを交換する際には、ダイ受け治具及びコア受け治具をダイコアに挿入し、所定の角度でターンテーブルを回転させた後、ダイコアを取り外すようになっている。コア受け治具は、一般的に、ターンテーブルに立設し、ネジ等で固定されたブロックキーが用いられている。ターンテーブルとブロックキーとは、例えば、ブロックキーの軸方向に形成されたネジ穴にネジを挿入して固定するようになっている。
【先行技術文献】
【特許文献】
【０００５】
【特許文献１】特開平１−２４４８１０号公報
【発明の概要】
【発明が解決しようとする課題】
【０００６】
しかし、ダイコアを着脱する際には、ブロックキーの水平方向に大きな力が作用するため、ブロックキーが破損するおそれがある。特に、従来の固定構造では、ブロックキーの軸方向にネジ穴を設けていたため、ブロックキーの強度が弱く破損しやすかった。
【０００７】
本発明はこのような課題を解決するために創作されたものであり、耐久性の高いダイコアチェンジャーを提供することを課題としている。
【課題を解決するための手段】
【０００８】
そこで本発明は、樹脂が供給されるダイコアを着脱するダイコアチェンジャーであって、凹部を備え鉛直軸周りに回転するとともに昇降可能に形成されたテーブルと、前記凹部に着脱自在に取り付けられるアタッチメントと、前記アタッチメントの表面側に挿入される胴部と前記アタッチメントから露出され前記ダイコアを着脱する際に前記ダイコアに挿入される係合部とを備えたブロックキーと、前記アタッチメントに水平方向に挿入され、前記アタッチメントに対して前記胴部を固定する軸部材と、を備えることを特徴とする。
【０００９】
かかる構成によれば、テーブルの一部に着脱自在に設けられたアタッチメントを備えるとともに、アタッチメントとブロックキーの胴部とを水平方向に挿入された軸部材で固定することとした。これにより、従来のようにブロックキーの軸方向にネジ穴を設ける必要がないため、ブロックキー強度を高めることができ、ひいてはダイコアチェンジャーの耐久性を高めることができる。
【００１０】
また、前記アタッチメント及び前記胴部は水平方向に貫通する貫通孔を備え、前記軸部材は、連通した前記貫通孔に挿入されていることが好ましい。かかる構成によれば、アタッチメントに対してブロックキーを簡易な構成で固定できる。
【００１１】
また、前記アタッチメントの裏面側に締結され、前記軸部材に当接する締結具を備えていることが好ましい。かかる構成によれば、アタッチメントに対して軸部材を強固に固定することができる。
【発明の効果】
【００１２】
本発明のダイコアチェンジャーによれば、耐久性を高めることができる。
【図面の簡単な説明】
【００１３】
【図１】本実施形態に係るダイコアチェンジャー及びダイコアを示す模式側面図である。
【図２】本実施形態に係るダイコアチェンジャーを示す斜視図である。
【図３】本実施形態に係る第三テーブル周りを示す分解斜視図である。
【図４】本実施形態に係るアタッチメントを示す分解斜視図である。
【図５】本実施形態に係るアタッチメントを示す図であって、（ａ）は平面図、（ｂ）は（ａ）のＩ−Ｉ断面図である。
【図６】本実施形態に係るブロックキーを示す図であって、（ａ）は斜視図、（ｂ）は（ａ）のII−II断面図である。
【図７】本実施形態に係るダイコアチェンジャーとダイコアの係合状態を示す模式側面図である。
【図８】本実施形態に係るクロスヘッドからダイコアを離脱させた状態を示す模式側面図である。
【図９】ブロックキーの変形例を示す斜視図である。
【発明を実施するための形態】
【００１４】
本発明の実施形態について図面を参照して詳細に説明する。図１に示すように、本実施形態に係るダイコアチェンジャー１は、台車２と、昇降駆動部３と、回転駆動部４と、テーブル部５とで主に構成されている。ダイコアチェンジャー１は、ダイコアＤを着脱するための装置である。
【００１５】
台車２は、昇降駆動部３、回転駆動部４及びテーブル部５を支持する部材であって、一対のレールＲの上を移動可能に形成されている。
【００１６】
昇降駆動部３は、台車２に対してテーブル部５を昇降させる。昇降駆動部３は、例えばモータを用いている。
【００１７】
回転駆動部４は、台車２に対してテーブル部５を鉛直方向周りに回転させる。回転駆動部４は、例えば、油圧シリンダーを用いている。本実施形態では、テーブル部５のうち、後記する第一テーブル１１に対して第二テーブル２１及び第三テーブル３１が回転するように形成されている。
【００１８】
テーブル部５は、図２に示すように、下段部１０と、中段部２０と、上段部３０とで構成されている。下段部１０は、第一テーブル１１と、等間隔で配置された４つの位置決め部１２とで構成されている。第一テーブル１１は、円板状を呈し、昇降駆動部３に接続されている。第一テーブル１１は、昇降駆動部３の駆動によって、台車２に対して昇降するように構成されている。
【００１９】
位置決め部１２は、第一テーブル１１に立設する位置決め基台１３と、位置決め基台１３の上端に形成された位置決めピン１４とで構成されている。位置決め部１２は、ダイコアＤに対してテーブル部５の位置を決めるために、後記するダイコアＤの位置決め孔部Ｄ３（図１参照）に挿入される部位である。
【００２０】
中段部２０は、第二テーブル２１と、一対のダイ受け部２２とで構成されている。第二テーブル２１は、円板状を呈し、第一テーブル１１の上に第一テーブル１１と同心で配置されている。第二テーブル２１は、回転駆動部４に接続されている。第二テーブル２１は、第一テーブル１１とは別体に固定されており、第一テーブル１１に対して回転するように構成されている。
【００２１】
ダイ受け部２２は、第二テーブル２１の中心を挟んで両端側に一対形成されている。ダイ受け部２２は、ダイ受け基台２３と、ダイ受け基台２３の上端に形成されたダイ用ブロックキー２４とで構成されている。ダイ用ブロックキー２４は、ダイ受け基台２３に立設する鉛直部２４ａと、鉛直部２４ａに対して垂直に形成された鉤部２４ｂとで構成されている。対向するダイ用ブロックキー２４，２４は、第二テーブル２１の中心に対して点対称となるように配置されている。
【００２２】
上段部３０は、第三テーブル３１と、アタッチメント３２と、一対のコア用ブロックキー３３と、高さスペーサ３４と、一対の締結具３５とで主に構成されている。第三テーブル３１は、円板状を呈し、第二テーブル２１の上に第二テーブル２１と同心で配置されている。第三テーブル３１は、第二テーブル２１に固定されており、第二テーブル２１の回転に伴って一体的に回転する。
【００２３】
図３に示すように、第三テーブル３１には、第三テーブル３１の直径を含んで形成され、断面矩形の凹部３６が形成されている。凹部３６の底面には、締結具３５が締結される溝穴３７，３７が形成されている。溝穴３７は、ネジ溝が形成されており、第三テーブル３１の中心を挟んで両側に形成されている。第三テーブル３１の上面には、高さスペーサ３４を固定するための締結具６３，６３が締結される溝穴３８，３８が形成されている。溝穴３８は、ネジ溝が形成されており、第三テーブル３１の中心を挟んで両側に形成されている。
【００２４】
アタッチメント３２は、図４及び図５に示すように、直方体を呈する金属部材であって凹部３６に嵌合される。アタッチメント３２の上面には、締結具３５が挿入される一対の孔部４１が形成されている。孔部４１は、円柱状の中空部を備えており、上側に形成された大径部４１ａと、下側に形成された小径部４１ｂとを有する。大径部４１ａと小径部４１ｂとの段差部に締結具３５の頭部が当接する。
【００２５】
また、アタッチメント３２の上面（表面）には、コア用ブロックキー３３が挿入される一対のブロック孔部４２が形成されている。ブロック孔部４２，４２は、孔部４１，４１の内側にそれぞれ形成されている。ブロック孔部４２は、円柱状の中空部を備えている。ブロック孔部４２は、後記するコア用ブロックキー３３の胴部５１と略同等の形状になっている。
【００２６】
図４及び図５に示すように、アタッチメント３２の側面には、対向する側面を貫通する一対の貫通孔４３，４３が形成されている。貫通孔４３には、それぞれ軸部材３９が挿入される。軸部材３９は、本実施形態では、円柱状を呈する金属製のノックピンを用いている。軸部材３９の長さはアタッチメント３２の幅よりもやや短くなっている。図５の（ｂ）に示すように、貫通孔４３，４３の軸心は、それぞれブロック孔部４２，４２の軸心と直交するようになっている。
【００２７】
図５の（ｂ）に示すように、アタッチメント３２の下面（裏面）には、ブロック孔部４２に連通する一対の締結孔部４４が形成されている。締結孔部４４は、円柱状の中空部を備えており、大径部４４ａと、小径部４４ｂとを有する。大径部４４ａと小径部４４ｂとの段差に締結具４０（図４参照）の頭部が当接する。ブロック孔部４２の軸心と締結孔部４４の軸心は重なるようになっている。
【００２８】
図６に示すように、コア用ブロックキー３３は、ダイコアＤと係合する部材である。コア用ブロックキー３３は、金属製であって、胴部５１と、係合部５２とで主に構成されている。コア用ブロックキー３３は、ダイコアＤの着脱の際に大きな力が作用する部位であるため、高強度（高硬度）であることが好ましい。焼入れ処理等を行うことによりコア用ブロックキー３３の強度を高めてもよい。
【００２９】
胴部５１は、円柱状を呈し水平方向に貫通する貫通孔５３と、下面から貫通孔５３に連通する溝穴５４とを備えている。貫通孔５３の内径は、溝穴５４の内径よりも大きくなっている。貫通孔５３の中空部の形状は、軸部材３９（図４参照）の形状と略同等になっている。溝穴５４には、ネジ溝が形成されており、締結具４０（図４参照）が螺合される。
【００３０】
係合部５２は、鉛直部５５と、鉛直部５５に対して垂直に延設された鉤部５６とを有する。鉛直部５５は、円柱状を呈し、胴部５１の上面に立設されている。鉛直部５５の外径は、胴部５１の外径よりも小さくなっている。また、胴部５１の上面と鉛直部５５の外周面との角部（内隅部）は凹状の曲面となるように成形されている。これにより、胴部５１に対して鉛直部５５が折れにくくなっている。鉤部５６は、平面視長丸状を呈し一端側が鉛直部５５よりも外側に突出している。
【００３１】
図３に戻り、高さスペーサ３４は、ダイコアＤに対する高さを調節するためのスペーサである。高さスペーサ３４は、円板状を呈する金属製部材である。高さスペーサ３４には、コア用ブロックキー３３を通すための一対の逃げ孔６１が形成されている。また、高さスペーサ３４には、一対の締結具６３が挿入される一対の孔部６２が形成されている。孔部６２は、溝穴３８に対応する位置に形成されている。
【００３２】
次に、上段部３０の組み付け方法について説明する。
まず、図４に示すように、アタッチメント３２のブロック孔部４２にコア用ブロックキー３３の胴部５１を挿入し、貫通孔５３とアタッチメント３２の貫通孔４３とを連通させる。この際、コア用ブロックキー３３の鉤部５６は互いに反対方向を向くようにする。そして、連通した貫通孔４３，５３に軸部材３９を挿入する。
【００３３】
そして、図４乃至図６に示すように、アタッチメント３２の下面の締結孔部４４から締結具４０を挿入し、コア用ブロックキー３３の溝穴５４に締結具４０を螺合しつつ、締結具４０の先端を軸部材３９の外周面に当接させる。つまり、締結具４０によって、軸部材３９の移動を拘束する。
【００３４】
そして、図３に示すように、アタッチメント３２とコア用ブロックキー３３とが一体になった複合部材を第三テーブル３１の凹部３６に嵌め合わせ、第三テーブル３１に対して前記複合部材を締結具３５，３５で締結する。最後に、第三テーブル３１に対して高さスペーサ３４を締結具６３，６３で締結する。
【００３５】
次に、本実施形態に係るダイコアチェンジャー１の作用について説明する。ここでは、図１に示すように、クロスヘッドＣに接続されたダイコアＤを離脱する場合を例示する。
【００３６】
ダイコアＤは、クロスヘッドＣに貯留された溶融樹脂をパリソンとして成形金型（図示省略）に供給する装置である。ダイコアＤは、筒状を呈するダイＤ１と、ダイＤ１の内部に配置される略柱状を呈するコアＤ２とを有する。ダイＤ１とコアＤ２との間には、溶融樹脂が流動する隙間が形成されている。ダイＤ１には、４つの位置決め孔部Ｄ３と、２つのダイ用係合孔部Ｄ４と、２つのコア用係合孔部Ｄ５とがそれぞれ形成されている。
【００３７】
まず、図１に示すように、位置決め部１２と、位置決め孔部Ｄ３とがそれぞれ対応する位置に台車２を配置する。そして、昇降駆動部３及び回転駆動部４を駆動させて、４つの位置決め部１２を位置決め孔部Ｄ３にそれぞれ挿入するとともに、２つのダイ用ブロックキー２４を２つのダイ用係合孔部Ｄ４にそれぞれ挿入し、２つのコア用ブロックキー３３を２つのコア用係合孔部Ｄ５にそれぞれ挿入する。
【００３８】
そして、図７に示すように、回転駆動部４を駆動させて、クロスヘッドＣに対してダイコアＤを回転させ、クロスヘッドＣとダイコアＤとの係合を解除する。
【００３９】
そして、図８に示すように、クロスヘッドＣとダイコアＤとの係合が解除されたら、昇降駆動部３を駆動させて、クロスヘッドＣに対してダイコアＤを離間させる。
【００４０】
なお、他のダイコアを取り付ける際には、離脱させる工程と反対の工程を行えばよいため、詳細な説明は省略する。
【００４１】
以上説明した本実施形態に係るダイコアチェンジャー１では、第三テーブル３１に着脱自在に設けられたアタッチメント３２を備えるとともに、アタッチメント３２とコア用ブロックキー３３の胴部５１とを水平方向に挿入された軸部材３９で固定することとした。これにより、従来のようにブロックキーの軸方向にネジ穴を設ける必要がないため、第三テーブル３１から露出する係合部５２を中実の部材とすることができる。また、軸部材３９が胴部５１の水平方向に挿入されているため、コア用ブロックキー３３に作用するせん断力に対抗することができる。これにより、コア用ブロックキー３３の強度を高めることができ、ひいてはダイコアチェンジャー１の耐久性を高めることができる。
【００４２】
また、アタッチメント３２及び胴部５１は水平方向に貫通する貫通孔４３、貫通孔５３をそれぞれ備え、軸部材３９は、連通した各貫通孔４３，５３に挿入される。かかる構成によれば、アタッチメント３２に対してコア用ブロックキー３３を簡易な構成で固定できる。
【００４３】
また、アタッチメント３２の裏面に締結され、軸部材３９に当接する締結具４０を備えているため、アタッチメント３２に対して軸部材３９をより強固に固定することができる。
【００４４】
また、凹部３６に対してアタッチメント３２が着脱自在に構成されるとともに、アタッチメント３２に対してコア用ブロックキー３３も着脱自在になっている。これにより、アタッチメント３２及びコア用ブロックキー３３の交換やメンテナンスが容易となる。
【００４５】
以上本発明の実施形態について説明したが、本発明の趣旨に反しない範囲において適宜設計変更が可能である。図９は、ブロックキーの変形例を示す斜視図である。図９に示すように、コア用ブロックキー３３Ａは、胴部５１Ａに平坦面５７を備えている点で前記した実施形態と相違する。
【００４６】
コア用ブロックキー３３Ａは、胴部５１Ａと、第三テーブル３１から露出する係合部５２Ａとで構成されている。胴部５１Ａは、略円柱状を呈し、その外周面の一部を切り欠いて形成された平坦面５７を備えている。また、胴部５１Ａには、貫通孔５３Ａが形成されている。係合部５２Ａの鉛直部５５Ａと胴部５１Ａの外径は略同等になっている。
【００４７】
一方、アタッチメント３２Ａには、ブロック孔部４２Ａが形成されている。ブロック孔部４２Ａの中空部の一部には、平坦面４２ａが形成されている。ブロック孔部４２Ａにコア用ブロックキー３３Ａを挿入すると、平坦面５７と平坦面４２ａとが接触するか又は微細な隙間をあけて配置される。これにより、ブロック孔部４２Ａに対してコア用ブロックキー３３Ａが回転不能になり、コア用ブロックキー３３Ａの位置決めが容易になる。
【００４８】
また、コア用ブロックキー３３及びダイ用ブロックキー２４は、本実施形態ではフック形状としたが、ダイＤ１に係合する形状であれば他の形態であってもよい。また、本実施形態では、コア用ブロックキー３３のみに対してアタッチメント３２及び軸部材３９等を設ける構成としたが、これらの構成をダイ用ブロックキー２４に適用してもよい。
【００４９】
また、本実施形態では、軸部材３９がコア用ブロックキー３３を貫通する形態としたが、これに限定されるものではない。例えば、コア用ブロックキー３３に貫通孔５３を設けずに、アタッチメント３２の側面から締結具を螺合して、この締結具の先端を胴部５１に当接させてアタッチメント３２に対してコア用ブロックキー３３を固定してもよい。
【００５０】
また、本実施形態では、クロスヘッドＣに対してダイコアＤの全体を着脱する場合を例示したが、これに限定されるものではない。例えば、ダイコアＤの一部（ダイＤ１の一部又はコアＤ２の一部も含む）を着脱する場合にダイコアチェンジャー１を適用してもよい。
【符号の説明】
【００５１】
１        ダイコアチェンジャー
２        台車
３        昇降駆動部
４        回転駆動部
５        テーブル部
１１      第一テーブル
２１      第二テーブル
３１      第三テーブル（テーブル）
３２      アタッチメント
３３      コア用ブロックキー（ブロックキー）
３４      高さスペーサ
３５      締結具
３６      凹部
３７      締結具
３９      軸部材
４１      孔部
４２      ブロック孔部
４３      貫通孔
４４      締結孔部
５１      胴部
５２      係合部
５３      貫通孔
５４      溝穴
５５      鉛直部
５６      鉤部
Ｃ        クロスヘッド
Ｄ        ダイコア
Ｄ１      ダイ
Ｄ２      コア
【図１】
2013252683.tif 000003
【図２】
2013252683.tif 000004
【図３】
2013252683.tif 000005
【図４】
2013252683.tif 000006
【図５】
2013252683.tif 000007
【図６】
2013252683.tif 000008
【図７】
2013252683.tif 000009
【図８】
2013252683.tif 000010
【図９】
2013252683.tif 000011